(57)【要約】【課題】空気調和機本体または制御装置が故障にて返却された場合、確実な故障解析とその修理を実施する。【解決手段】空気調和機の室内機と室内機をそれぞれ制御する制御装置において、室内機の制御装置１及び室外機の制御装置２の両方に、製造番号を記憶する為の記憶部１２および２２を設け、室外機生産時にあらかじめ室外機制御装置２の記憶部２２に記憶された室外機の製造番号を、空気調和機の設置後で室内機と室外機を接続時に、室外機から室内機へ送信し、室外機製造番号を室内機の制御装置１の記憶部１２に記憶する。【選択図】図１
2005274092.tif 000002
【特許請求の範囲】
【請求項１】
空気調和機の室内機と室内機をそれぞれ制御する制御装置において、室内機の制御装置及び室外機の制御装置の両方に、製造番号を記憶する為の記憶部を設け、室外機生産時にあらかじめ室外機制御装置の記憶部に記憶された室外機の製造番号を、空気調和機の設置後で室内機と室外機を接続時に、室外機から室内機へ送信し、室外機製造番号を室内機の制御装置の記憶部に記憶することを特徴とする空気調和機の制御装置。
【請求項２】
室内機生産時にあらかじめ室内機制御装置の記憶部に記憶された室内機製造番号を、空気調和機の設置後で室内機と室外機を接続時に、室内機から室外機へ送信し、室内機製造番号を室外機の制御装置の記憶部に記憶することを特徴とする請求項１記載の空気調和機の制御装置。
【請求項３】
空気調和機設置後で、電源投入時にのみ、製造番号を室外機から室内機へ、または、室外機から室内機へ送信することを特徴とする請求項１記載の空気調和機の制御装置。
【請求項４】
室内機制御装置の記憶部に記憶した室外機製造番号を表示するための表示手段を有することを特徴とする請求項１記載の空気調和機の制御装置。
【請求項５】
複数の室内機と１台の室外機を接続するマルチシステム商品において、室内機全ての製造番号を室外機制御装置の記憶部に記憶することを特徴とする請求項２記載の空気調和機の制御装置。
【発明の詳細な説明】
【技術分野】
【０００１】
本発明は、室内機及び室外機の制御装置において、製造番号を記憶する手段を備えた空気調和機の制御装置に関するものである。
【背景技術】
【０００２】
従来、室内機及び室外機の制御装置に記憶部を設け、生産時にあらかじめ製品の種類や製造番号を記憶させておき、その内容を表示したり、その内容を用いて圧縮機制御の切換を行うなどの手法があった。（例えば特許文献１参照）
図7は従来の空気調和機の制御装置の構成図である。図7において、室内制御装置１の室内制御部１２には室内機の製造番号を記憶し、室外制御装置２の室外記憶装置２２には室外機製造番号を記憶している。
【特許文献１】特開平６−２６５２００号公報
【発明の開示】
【発明が解決しようとする課題】
【０００３】
しかしながら、前記従来の構成では、空気調和機設置時で、室内機と室外機が接続された状態では、室内機は室外機の内容を、室外機は室内機の内容を知ることができるが、空気調和機の故障などにより電源を切られた場合や空気調和機本体が設置場所から撤去され、室内機と室外機が接続されていない状態では、過去接続されていた時の相手の室外機または室内機の内容を知ることができない。その為、故障などで室内機のみが工場などに返却された場合、簡単な故障の場合は、室内機単独での修理は可能だが、複雑な故障内容の場合、空気調和機は室内機と室外機が接続されて始めて正常な動作が可能な為故障に対する解析が十分に実施できず、故障に対する修理が完了しない場合も発生する可能性がある。また、室内機と室外機が両方返却されてきても、どの室内機とどの室外機が接続されていたかを知る手段がない為、十分な解析ができない。
【０００４】
本発明はこのような従来の課題を解決するものであり、空気調和機本体または制御装置が故障にて返却された場合、確実な故障解析とその修理を実施することができる空気調和機の制御装置を提供することを目的とする。
【課題を解決するための手段】
【０００５】
前記従来の課題を解決するために本発明の空気調和機の制御装置は、空気調和機の室内機と室内機をそれぞれ制御する制御装置において、室内機の制御装置及び室外機の制御装置の両方に、製造番号を記憶する為の記憶部を設け、室外機生産時にあらかじめ室外機制御装置の記憶部に記憶された室外機の製造番号を、空気調和機の設置後で室内機と室外機を接続時に、室外機から室内機へ送信し、室外機製造番号を室内機の制御装置の記憶部に記憶する。
【発明の効果】
【０００６】
本発明の空気調和機の制御装置は、空気調和機本体または制御装置が故障にて返却された場合、確実な故障解析とその修理を実施することができる
【発明を実施するための最良の形態】
【０００７】
第１の発明は、室内機の制御装置及び室外機の制御装置の両方に、製造番号を記憶する為の記憶部を設け、室外機生産時にあらかじめ室外機制御装置の記憶部に記憶された室外機の製造番号を、空気調和機の設置後で室内機と室外機を接続時に、室外機から室内機へ送信し、室外機製造番号を室内機の制御装置の記憶部に記憶することにより、空気調和機
本体または制御装置が故障にて返却された場合、確実な故障解析とその修理を実施することができる
第２の発明は、室内機生産時にあらかじめ室内機制御装置の記憶部に記憶された室内機製造番号を、空気調和機の設置後で室内機と室外機を接続時に、室内機から室外機へ送信し、室内機製造番号を室外機の制御装置の記憶部に記憶することにより、室内機及び室外機の両方で製造番号を確認できることから、空気調和機本体または制御装置が故障にて返却された場合、従来よりも確実に、故障解析とその修理を実施することができる
第３の発明は、空気調和機設置後で、電源投入時にのみ、製造番号を室外機から室内機へ、または、室外機から室内機へ送信することにより、通常の空気調和機の運転状態では室内機と室外機の通信処理の負荷を掛けずに、空気調和機本体または制御装置が故障にて返却された場合、確実に故障解析とその修理を実施することができる。
【０００８】
第４の発明は、室内機制御装置の記憶部に記憶した室外機製造番号を表示するための表示手段を有することにより、空気調和機本体または制御装置が故障にて返却された場合、確実な故障解析とその修理を簡単に実施することができる。
【０００９】
第５の発明は、複数の室内機と１台の室外機を接続するマルチシステム商品において、室内機全ての製造番号を室外機制御装置の記憶部に記憶することにより、マルチシステム商品においても、空気調和機本体または制御装置が故障にて返却された場合、確実な故障解析とその修理を実施することができる。
【００１０】
以下本発明の実施の形態について図面を参照して説明する。
【００１１】
（実施の形態１）
図１は本発明の実施の形態１における空気調和機の制御装置の構成図である。図１において、室内制御装置１は、マイクロコンピュータ１１、室内記憶部１２、室内通信部１３から構成されており、室外制御装置２はマイクロコンピュータ２１、室外記憶部２２、室外通信部２３から構成されている。
【００１２】
以上のように構成された制御装置の動作を、図２の動作フローチャートを用いて説明する。まず、マイクロコンピュータ２１は室外記憶部２２より室外製造番号を読み出す（Ｓ２０１）。その後、室外製造番号は室外通信部２３及び室内通信部１３を経由し、マイクロコンピュータ１１へ送信される（Ｓ２０２）。そして、マイクロコンピュータ１１により室外製造番号は室内記憶部１２へ記憶される（Ｓ２０３）。これらの一連の動作を繰り返す。
【００１３】
このように室外製造番号を室内へ記憶することにより、空気調和機本体または制御装置が故障にて返却された場合、確実な故障解析とその修理を実施することができる。
【００１４】
（実施の形態２）
図３は本発明の実施の形態２における空気調和機の制御装置の動作フローチャートである。図３において、まず、マイクロコンピュータ２１は室外記憶部２２より室外製造番号を読み出す（３０１）。その後、室外製造番号は室外通信部２３及び室内通信部１３を経由し、マイクロコンピュータ１１へ送信される（３０２）。そして、マイクロコンピュータ１１により室外製造番号は室内記憶部１２へ記憶される（３０３）。その後、まず、マイクロコンピュータ１１は室内記憶部１２より室内製造番号を読み出す（３０４）。次に、室内製造番号は室内通信部１３及び室外通信部２３を経由し、マイクロコンピュータ２１へ送信される（３０５）。そして、マイクロコンピュータ２１により室内製造番号は室外記憶部２２へ記憶される（３０６）。これらの一連の動作を繰り返す。
【００１５】
このように室外製造番号を室内へ、室内製造番号を室外へ記憶することにより、空気調和機本体または制御装置が故障にて返却された場合、従来よりも確実に、故障解析とその修理を実施することができる空気調和機の制御装置を提供することができる。
【００１６】
（実施の形態３）
図４は本発明の実施の形態３における空気調和機の制御装置の動作フローチャートである。図４において、電源投入直後のマイコンリセット解除後に、まず、マイクロコンピュータ２１は室外記憶部２２より室外製造番号を読み出す（４０１）。その後、室外製造番号は室外通信部２３及び室内通信部１３を経由し、マイクロコンピュータ１１へ送信される（４０２）。そして、マイクロコンピュータ１１により室外製造番号は室内記憶部１２へ記憶される（４０３）。その後は、通常の空気調和機の制御のみを実施し、これらの室外製造番号の記憶は、マイコンリセット後、１回しか行わない。
【００１７】
このように、空気調和機設置後で、電源投入時にのみ、製造番号を室外機から室内機へ、または、室外機から室内機へ送信することで、通常の空気調和機の運転状態では室内機と室外機の通信処理の負荷を掛けずに、空気調和機本体または制御装置が故障にて返却された場合、確実に故障解析とその修理を実施することができる。
【００１８】
（実施の形態４）
図５は本発明の実施の形態１における空気調和機の制御装置の構成図である。図５において、室内制御装置１は、マイクロコンピュータ１１、室内記憶部１２、室内通信部１３、室内表示部１４から構成されており、室外制御装置２はマイクロコンピュータ２１、室外記憶部２２、室外通信部２３から構成されている。
【００１９】
以上のように構成された制御装置の動作は、まず、マイクロコンピュータ２１は室外記憶部２２より室外製造番号を読み出す。その後、室外製造番号は室外通信部２３及び室内通信部１３を経由し、マイクロコンピュータ１１へ送信される。そして、マイクロコンピュータ１１により室外製造番号は室内記憶部１２へ記憶される。そして、室外製造番号の表示が必要な場合は、室内表示部１４により表示する。
【００２０】
このように室内機制御装置の記憶部に記憶した室外機製造番号を表示するための表示手段を有することにより、空気調和機本体または制御装置が故障にて返却された場合、確実な故障解析とその修理を簡単に実施することができる。
【００２１】
（実施の形態５）
図６は本発明の実施の形態５における空気調和機の制御装置の構成図である。図６において、室内制御装置１は、マイクロコンピュータ１１、室内記憶部１２、室内通信部１３から構成され、室内制御装置３は、マイクロコンピュータ３１、室内記憶部３２、室内通信部３３から構成されており、室外制御装置２はマイクロコンピュータ２１、室外記憶部ており、室外制御装置２はマイクロコンピュータ２１、室外記憶部２２、室外通信部２３から構成されている。
【００２２】
以上のように構成された制御装置の動作は、まず、マイクロコンピュータ２１は室外記憶部２２より室外製造番号を読み出す。その後、室外製造番号は室外通信部２３及び室内通信部１３を経由し、マイクロコンピュータ１１へ送信される。そして、マイクロコンピュータ１１により室外製造番号は室内記憶部１２へ記憶される。その後、まず、マイクロコンピュータ１１は室内記憶部１２より室内製造番号を読み出す。次に、室内製造番号は室内通信部１３及び室外通信部２３を経由し、マイクロコンピュータ２１へ送信される。そして、マイクロコンピュータ２１により室内製造番号は室外記憶部２２へ記憶される。これら一連の動作を室内制御装置１のみでなく、室内制御装置３へも実施する。
【００２３】
このように、複数の室内機と１台の室外機を接続するマルチシステム商品において、室内機全ての製造番号を室外機制御装置の記憶部に記憶することにより、マルチシステム商品においても、空気調和機本体または制御装置が故障にて返却された場合、確実な故障解析とその修理を実施することができる
【図面の簡単な説明】
【００２４】
【図１】本発明の実施の形態１における空気調和機の制御装置の構成図
【図２】本発明の実施の形態１における空気調和機の制御装置のフローチャート
【図３】本発明の実施の形態２における空気調和機の制御装置のフローチャート
【図４】本発明の実施の形態３における空気調和機の制御装置のフローチャート
【図５】本発明の実施の形態４における空気調和機の制御装置の構成図
【図６】本発明の実施の形態５における空気調和機の制御装置の構成図
【図７】従来の空気調和機の制御装置の構成図
【符号の説明】
【００２５】
１  室内制御装置
１１  マイクロコンピュータ  
１２  室内記憶部
１３  室内通信部
１４  室内表示部
２  室外制御装置
２１  マイクロコンピュータ  
２２  室外記憶部
２３  室外通信部
３  室内制御装置
３１  マイクロコンピュータ  
３２  室内記憶部
３３  室内通信部
【図１】
2005274092.tif 000003
【図２】
2005274092.tif 000004
【図３】
2005274092.tif 000005
【図４】
2005274092.tif 000006
【図５】
2005274092.tif 000007
【図６】
2005274092.tif 000008
【図７】
2005274092.tif 000009